(57)【特許請求の範囲】
【請求項１】
ダーツの前側部分を構成するチップと、前記ダーツの後側部分を構成する羽根付きのダーツシャフトとの間に配置されて、前記ダーツの中間部分を構成すると共に、前記チップ及び前記ダーツシャフトが螺合する螺子部を前端部と後端部とに備えたダーツバレルであって、
相互に異なる材料で構成されて相互に比重及び質量が異なる１対のバレル構成体を、前記ダーツの前後方向に並べ、それら１対のバレル構成体の一方と他方とに設けた凹部と突部とを凹凸係合した状態で、接着剤により前記１対のバレル構成体を固定してなることを特徴とするダーツバレル。
【請求項２】
一方の前記バレル構成体を両端開放の筒状とし、その一端部を前記凹部とする一方、他端部を前記チップ又は前記ダーツシャフトが螺合結合される雌螺子孔としたことを特徴とする請求項１に記載のダーツバレル。
【請求項３】
比重が大きい前記バレル構成体は、タングステンを主成分とした材料で構成される一方、比重が小さい前記バレル構成体は、チタンを主成分とした材料で構成されたことを特徴とする請求項１又は２に記載のダーツバレル。
【請求項４】
相互に質量が異なる複数の前側の前記バレル構成体と、相互に質量が異なる複数の後側の前記バレル構成体とを備え、前側と後側の前記バレル構成体を任意に組み合わせて固定可能としたことを特徴とする請求項１乃至３のうち何れか１の請求項に記載のダーツバレル。
【請求項５】
相互に表面形状が異なる複数の前側の前記バレル構成体と、相互に表面形状が異なる複数の後側の前記バレル構成体とを備え、前側と後側の前記バレル構成体を任意に組み合わせて固定可能としたことを特徴とする請求項１乃至４のうち何れか１の請求項に記載のダーツバレル。
【請求項６】
前記１対のバレル構成体の表面は、同一金属でめっきされていることを特徴とする請求項１乃至５のうち何れか１の請求項に記載のダーツバレル。
【請求項７】
前記チップ又は前記ダーツシャフトが螺合装着される雌螺子孔を前端部と後端部とに備えて、それら前端部と後端部の雌螺子孔を同じピッチにしたことを特徴とする請求項１乃至６のうち何れか１の請求項に記載のダーツバレル。
【請求項８】
上記請求項１乃至７のうち何れか１の請求項に記載のダーツバレルにより前後方向の中間部分が構成されたことを特徴とするダーツ。
【発明の詳細な説明】
【技術分野】
【０００１】
本発明は、チップと、ダーツバレルと、羽根付きのダーツシャフトとで構成されたダーツ及びそのようなダーツのダーツバレルとに関する。
【背景技術】
【０００２】
一般に、ダーツの軸方向における重心位置は、ダーツを選ぶ際の重要項目である。また、ダーツの全質量の多くはダーツバレルによって占められるため、ダーツバレル単体の重心位置もダーツを選ぶ際の重要項目になっている。ところが、ダーツバレルの最適な重心位置はダーツの投げ方及び好みによって異なり、重心が前寄り位置に偏在したダーツバレルを好む人もいれば、重心が後寄り位置に偏在したダーツバレルを好む人もいる。これに対し、従来のダーツバレルとして、筒状のバレル本体内の前寄り位置に円柱状の錘を装着して重心を前寄りに配置したダーツバレルと、その錘を筒状のバレル本体内の後寄り位置に装着して重心を後寄りに配置したダーツバレルとが知られている（例えば、特許文献１参照）。
【特許文献１】特開２００７−２０２８９３号（［００２５］，［００２８］、第３〜５図）
【発明の開示】
【発明が解決しようとする課題】
【０００３】
しかしながら、上記した従来のダーツバレルにおいては、筒状のバレル本体の重心は前後方向の略中央に位置している。また、錘をバレル本体内の端部に偏在させるために錘の軸長を短くすると、それに伴ってダーツバレル全体の質量が減少するので、錘の軸長の短さには限界がある。これらのため、バレル本体と錘とを合わせたダーツバレル全体の重心位置を、前寄り位置又は後寄り位置に大きくずらして偏在させることは困難であった。
【０００４】
本発明は、上記事情に鑑みてなされたもので、重心位置を従来より前端寄り位置又は後端寄り位置に大きくずらして偏在させることが可能なダーツバレル及びダーツの提供を目的とする。
【課題を解決するための手段】
【０００５】
上記目的を達成するためになされた請求項１の発明に係るダーツバレルは、ダーツの前側部分を構成するチップと、ダーツの後側部分を構成する羽根付きのダーツシャフトとの間に配置されて、ダーツの中間部分を構成すると共に、チップ及びダーツシャフトが螺合する螺子部を前端部と後端部とに備えたダーツバレルであって、相互に異なる材料で構成されて相互に比重及び質量が異なる１対のバレル構成体を、ダーツの前後方向に並べ、それら１対のバレル構成体の一方と他方とに設けた凹部と突部とを凹凸係合した状態で、接着剤により１対のバレル構成体を固定してなるところに特徴を有する。
【０００６】
請求項２の発明は、請求項１に記載のダーツバレルにおいて、一方のバレル構成体を両端開放の筒状とし、その一端部を凹部とする一方、他端部をチップ又はダーツシャフトが螺合結合される雌螺子孔としたところに特徴を有する。
【０００７】
請求項３の発明は、請求項１又は２に記載のダーツバレルにおいて、比重が大きいバレル構成体は、タングステンを主成分とした材料で構成される一方、比重が小さいバレル構成体は、チタンを主成分とした材料で構成されたところに特徴を有する。
【０００８】
請求項４の発明は、請求項１乃至３のうち何れか１の請求項に記載のダーツバレルにおいて、相互に質量が異なる複数の前側のバレル構成体と、相互に質量が異なる複数の後側のバレル構成体とを備え、前側と後側のバレル構成体を任意に組み合わせて固定可能としたところに特徴を有する。
【０００９】
請求項５の発明は、請求項１乃至４のうち何れか１の請求項に記載のダーツバレルにおいて、相互に表面形状が異なる複数の前側のバレル構成体と、相互に表面形状が異なる複数の後側のバレル構成体とを備え、前側と後側のバレル構成体を任意に組み合わせて固定可能としたところに特徴を有する。
【００１０】
請求項６の発明は、請求項１乃至５のうち何れか１の請求項に記載のダーツバレルにおいて、１対のバレル構成体の表面は、同一金属でめっきされているところに特徴を有する。
【００１１】
請求項７の発明は、請求項１乃至６のうち何れか１の請求項に記載のダーツバレルにおいて、チップ又はダーツシャフトが螺合装着される雌螺子孔を前端部と後端部とに備えて、それら前端部と後端部の雌螺子孔を同じピッチにしたところに特徴を有する。
【００１２】
請求項８の発明に係るダーツは、上記請求項１乃至７のうち何れか１の請求項に記載のダーツバレルにより前後方向の中間部分が構成されたところに特徴を有する。
【発明の効果】
【００１３】
［請求項１の発明］
請求項１のダーツバレルは、相互に異なる材料で構成されて相互に比重及び質量が異なる１対のバレル構成体を前後方向に並べて備えているので、重心をダーツバレルの前寄り位置に設定したり、重心をダーツバレルの後寄り位置に設定したりすることができる。
【００１４】
［請求項２の発明］
請求項２の構成によれば、一方のバレル構成体は、筒状の中空構造になっているので中実構造の場合に比べて質量が小さくなり、他方のバレル構成体に対する質量差を大きくすることができる。
【００１５】
［請求項３の発明］
請求項３のダーツバレルでは、比重が小さいバレル構成体がチタンを主成分とした材料で構成される一方、そのチタンに対して比重が約４倍以上のタングステンを主成分とした材料で比重が大きいバレル構成体が構成されているので、仮に前側と後側のバレル構成体の体積が同じであれば、前側と後側のバレル構成体との間で４倍以上の質量差を設けることができる。しかも、チタンを主成分とした材料とタングステンを主成分とした材料は、表面の光沢は類似しているので、前側と後側のバレル構成体の一体感を高めることができる。
【００１６】
［請求項４の発明］
請求項４の構成によれば、相互に質量が異なる複数の前側のバレル構成体と、相互に質量が異なる複数の後側のバレル構成体とのなかから、前側と後側のバレル構成体を任意に組み合わせて結合可能であるので、ダーツバレル全体の質量及び重心位置に対する多様な要望に応えることができる。
【００１７】
［請求項５の発明］
請求項５の構成によれば、相互に表面形状が異なる複数の前側のバレル構成体と、相互に表面形状が異なる複数の後側のバレル構成体とのなかから、前側のバレル構成体と後側のバレル構成体とが任意に組み合わせて結合可能であるので、ダーツバレル全体の表面形状に対する多様な要望に応えることができる。
【００１８】
［請求項６の発明］
請求項６の構成によれば、１対のバレル構成体の表面は、同一金属でめっきされているので、前側と後側のバレル構成体の一体感を高めることができる。
【００１９】
［請求項７の発明］
請求項７の構成によれば、ダーツバレルの前後を逆転させてチップ及びダーツシャフトをダーツバレルに螺合装着することができる。
【００２０】
［請求項８の発明］
請求項８の発明に係るダーツは、上記請求項１乃至７の何れかに記載のダーツバレルにより前後方向の中間部分が構成されているので、ダーツ全体の重心位置を従来の重心位置に対して前端寄り位置又は後端寄り位置に偏在させることができる。
【発明を実施するための最良の形態】
【００２１】
以下、本発明の一実施形態を図１〜図３に基づいて説明する。図１には、本実施形態のダーツ１０Ｗを、チップ１１（矢先部分）とダーツバレル３０Ｗとダーツシャフト２０とに分解した状態が示されている。
【００２２】
チップ１１は樹脂製である。このようなダーツ１０Ｗは、一般に「ソフトダーツ」と呼ばれている。チップ１１の軸方向における基端寄り位置と中間部とには、第１と第２のテーパー部１１Ａ，１１Ｂがそれぞれ形成されて、チップ１１が前端に向かって段階的に細くなっている。そして、図３に示すように、チップ１１のうち軸方向の中間部より前端側が極めて緩やかに縮径した丸棒状の突入部１１Ｃをなし、その突入部１１Ｃの前端面は半球状になっている。また、チップ１１の後端部には、チップ１１をダーツバレル３０Ｗに螺合結合するための雄螺子突部１２が形成されている。
【００２３】
ダーツシャフト２０は、樹脂製であって、後方に向かうに従って緩やかに縮径した丸棒構造をなし、後端部にフライト部品２３が取り付けられている。そのために、ダーツシャフト２０には、軸方向の中間部より後端部分を４つに縦割り分割するスリット２２が形成されている。また、フライト部品２３は、２枚の樹脂プレートを交差させた構造をなし、４枚の突片状の羽根２３Ａを備えている。そして、図２に示すように、各羽根２３Ａをスリット２２に収めた状態にして、フライト部品２３がダーツシャフト２０に摩擦係止されている。また、ダーツシャフト２０の前端面には、ダーツシャフト２０をダーツバレル３０Ｗに螺合結合するための雄螺子突部２１が突出形成されている。
【００２４】
なお、図３に示すように、ダーツシャフト２０の雄螺子突部２１及びチップ１１の雄螺子突部１２は、螺子径及び螺子のピッチが同じになっている。これにより、後述するダーツバレル３０Ｗの前後を逆転させてもチップ１１及びダーツシャフト２０をダーツバレル３０Ｗに螺合結合することができる。
【００２５】
さて、ダーツバレル３０Ｗは、図３に示すように、同軸上に前後に並べて結合された１対のバレル構成体３１Ｗ，４１Ｗからなる。それら１対のバレル構成体３１Ｗ，４１Ｗは、相互に異なる材料で構成され、前側に配置されたバレル構成体３１Ｗの質量及び比重が、後側に配置されたバレル構成体４１Ｗの質量及び比重より大きくなっている。具体的には、前側のバレル構成体３１Ｗとして、例えば、タングステンを主成分とした材料で構成されたものと、銀を主成分とした材料で構成されたものと、ニッケルを主成分とした材料で構成されたものとが備えられている。一方、後側のバレル構成体４１Ｗとして、チタンを主成分とした材料で構成されたものと、アルミを主成分とした材料で構成されたものとが備えられている。また、前側のバレル構成体３１Ｗの体積は、後側のバレル構成体４１Ｗの体積に対して同じ又は大きくなっている。これらにより、前側のバレル構成体３１Ｗの質量が、後側のバレル構成体４１Ｗの質量より大きくなっていると共に、前側のバレル構成体３１Ｗ群の間で質量が相互に異なり、後側のバレル構成体４１Ｗ群の間で相互に質量が異なっている。そして、このように相互に質量が異なった複数の前側のバレル構成体３１Ｗと、相互に質量が異なった複数の後側のバレル構成体４１Ｗとのなかから、前側と後側のバレル構成体３１Ｗ，４１Ｗが任意に組み合わせて結合されて、上述したように前側のバレル構成体３１Ｗの質量及び比重が、後側のバレル構成体４１Ｗの質量及び比重より大きくなっている。
【００２６】
前側のバレル構成体３１Ｗの形状は以下のようになっている。即ち、バレル構成体３１Ｗは、ダーツバレル３０の軸方向に延びた円柱体構造をなし、後端の平坦面の中心に芯出し孔３１Ｐが陥没形成されている。また、バレル構成体３１Ｗの前端部は、前記円柱体をテーパー状に縮径した構造になっている。そして、バレル構成体３１Ｗの前端部には雌螺子孔３２が形成され、その雌螺子孔３２に、前記したチップ１１の雄螺子突部１２が螺合結合されている。
【００２７】
なお、雌螺子孔３２を形成するための下孔３２Ａは、ダーツバレル３０Ｗ全体の長手方向における中間位置まで延びている。また、バレル構成体３１Ｗにおける前端部の外側テーパー面にはリング溝３５が形成されている。
【００２８】
後側のバレル構成体４１Ｗの形状は以下のようになっている。即ち、図３に示すように、後側のバレル構成体４１Ｗは、両端開放の筒体の前端部が前端壁４５によって閉塞された形状をなしかつ、後端部内側は雌螺子孔４３になっている。そして、そのバレル構成体４１Ｗの前端面の中心には、芯出し突起４１Ｐが突出形成されている。そして、これら芯出し突起４１Ｐと芯出し孔３１Ｐとを凹凸係合して前側と後側のバレル構成体３１Ｗ，４１Ｗを芯出しした状態で、それらが接着剤にて結合されている。また、雌螺子孔４３には、前記したダーツシャフト２０の雄螺子突部２１が螺合されて、後側のバレル構成体４１Ｗとダーツシャフト２０とが結合されている。また、後側のバレル構成体４１Ｗの外周面には、リング溝４２が軸方向に複数形成されている。各リング溝４２は、断面角溝状になっている。
【００２９】
なお、前側のバレル構成体３１Ｗにおける雌螺子孔３２と後側のバレル構成体４１Ｗにおける雌螺子孔４３とは、螺子径及びピッチが同一になっている。また、上記した両バレル構成体３１Ｗ，４１Ｗを合わせたダーツバレル３０Ｗ全体の質量及び比重は、チップ１１及びダーツシャフト２０の各質量及び比重より大きくなっている。
【００３０】
本実施形態のダーツバレル３０Ｗ及びダーツ１０Ｗに関する説明は以上である。次ぎに、ダーツバレル３０Ｗ及びダーツ１０Ｗの作用効果について説明する。ダーツ１０Ｗに対応した図示しないダーツ的（ダーツボード）は、樹脂板に複数の突入孔を網目状に穿孔した構造になっている。ダーツ１０Ｗを投げる際には、一般にダーツバレル３０Ｗを主たる把持部としてダーツ１０Ｗを把持する。このとき、ダーツバレル３０Ｗのリング溝４２における溝開口縁のエッジ部分に指が掛かって滑り止めされる。そして、ダーツ１０Ｗがダーツ的に向けて投げられると、チップ１１の突入部１１Ｃがダーツ的（ダーツボード）の突入孔内に突入してダーツ１０Ｗがダーツ的に突き刺さった状態になる。
【００３１】
ここで、ダーツゲームはダーツ１０Ｗのコントロールを競うものである。そして、そのコントロールは、投げ方及び好みに合ったダーツ１０Ｗを使用しているか否かによって変わる。
【００３２】
これに対し、本実施形態のダーツバレル３０Ｗは、質量が比較的大きな前側のバレル構成体３１Ｗと、質量が比較的小さな後側のバレル構成体４１Ｗとを前後方向に並べて結合してなるので、重心をダーツバレル３０Ｗの前寄り位置に設定することができる。しかも、前側のバレル構成体３１Ｗの材料の比重が、後側のバレル構成体４１Ｗの材料の比重より大きいので、前側と後側のバレル構成体３１Ｗ，４１Ｗの質量差を大きくすることができる。また、本実施形態では、後側のバレル構成体４１Ｗが中空構造になっているので中実構造の場合に比べて体積と共に質量が小さくなり、前側のバレル構成体３１Ｗと後側のバレル構成体４１Ｗとの質量差をより一層大きくすることができる。これらにより、ダーツバレル３０Ｗの重心位置を前端寄り位置に従来より大きくずらして偏在させることが可能になる。従って、このダーツバレル３０Ｗを備えた本実施形態のダーツ１０Ｗ全体の重心位置も従来の重心位置に対して前端寄り位置に偏在させることができ、そのような重心位置を好むダーツ競技者のニーズに応えることができる。
【００３３】
その上、本実施形態では、相互に質量が異なる複数の前側のバレル構成体３１Ｗと、相互に質量が異なる複数の後側のバレル構成体４１Ｗとのなかから、前側と後側のバレル構成体３１Ｗ，４１Ｗを任意に組み合わせて結合することで、ダーツバレル３０Ｗ全体の質量及び重心位置に対する多様な要望に応えることができる。特に、前側のバレル構成体３１Ｗをタングステン、後側のバレル構成体４１Ｗをチタンとした組み合わせでは、タングステンの比重はチタンの約４倍であるから、前側と後側のバレル構成体３１Ｗ，４１Ｗの間で約４倍以上の質量差を設けることができる。しかも、タングステンを主成分とした材料とチタンを主成分とした材料とは、表面の光沢は類似しているので、前側と後側のバレル構成体３１Ｗ，４１Ｗの一体感を高めることができる。
【００３４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３５】
（１）前記実施形態の前側のバレル構成体３１Ｗを構成する材料の主成分及び、後側のバレル構成体４１Ｗを構成する材料の主成分は、上記実施形態で例示したものに限定されるものではなく、前側のバレル構成体３１Ｗと、後側のバレル構成体４１Ｗとの比重が異なれば、例えば銅とチタン、ニッケルとアルミ、金と鉄、プラチナと金など、どのような材料を組み合わせてもよい。また、金属に限定されるものではなく、セラミックスや合成樹脂などの複合材料を組み合わせてもよい。
【００３６】
（２）前記実施形態では、羽根２３Ａが、ダーツシャフト２０と別部品であるフライト部品２３によって構成されていたが、羽根をダーツシャフトに一体成形してもよい。
【００３７】
（３）前記実施形態において、前側のバレル構成体３１Ｗと、後側のバレル構成体４１Ｗとを同一金属でめっきしてもよい。そうすることで、前側と後側のバレル構成体の一体感を高めることができる。
【００３８】
（４）前記実施形態において、複数の前側のバレル構成体３１Ｗの表面形状を相互に異なる構成としかつ、複数の後側のバレル構成体４１Ｗの表面形状も相互に異なる構成としもよい。そうすれば、前側のバレル構成体３１Ｗと後側のバレル構成体４１Ｗとが任意に組み合わされて結合することで、ダーツバレル３０Ｗ全体の表面形状に対する多様な要望に応えることができる。
【００３９】
（５）前記実施形態の螺合結合部は、雌雄逆転してもよい。
【図面の簡単な説明】
【００４０】
【図１】本発明の一実施形態に係るダーツの分解斜視図
【図２】ダーツの全体図
【図３】ダーツを分解した状態の側断面図
【符号の説明】
【００４１】
１０Ｗ    ダーツ
１１    チップ
１２，２１    雄螺子突部
２０    ダーツシャフト
２３Ａ    羽根
３０Ｗ  ダーツバレル
３１Ｗ    バレル構成体
３２，４３    雌螺子孔
４１Ｗ    バレル構成体
【図１】
0005219198.tif 000002
【図２】
0005219198.tif 000003
【図３】
0005219198.tif 000004